(57)【要約】【課題】より少ない動作回数で、閲覧したい情報を携帯電話等の画面の表示範囲に適切に含むようにスクロールする。【解決手段】操作ダイヤル３５を中央ボタン部材３６を軸として回転させると高速スクロールし、操作ダイヤル３５を回転軸方向に押すことにより上ボタン４２Ａおよび下ボタン４２Ｃのいずれを押すと低速スクロールする。よって、適宜にスクロールの速度を切り替えることにより、より少ない動作回数で、閲覧したい情報を画面の表示範囲に適切に含むようにできる。しかも、高速スクロールおよび低速スクロールの両者ともに操作ダイヤル３５を操作すれば可能なため、スクロールの速度を切り替える際に、これまで操作していた部材とは別の部材を操作しなくてすむので、スクロールの速度の切り替えが容易に行える。【選択図】　図８
2004040352.tif 000002
【特許請求の範囲】
【請求項１】
情報を表示する表示手段と、
前記情報を表示する表示範囲を変更する第一表示範囲変更手段と、
前記表示範囲を、前記第一表示範囲変更手段が前記表示範囲を変更する変更速度よりも遅く変更する第二表示範囲変更手段と、
前記第一表示範囲変更手段を作動させることを指示する第一表示範囲変更指示手段と、
前記第一表示範囲変更指示手段と共通する共通部材を有し、前記第二表示範囲変更手段を作動させることを指示する第二表示範囲変更指示手段と、
を備え、
前記共通部材に対する操作により、前記第一表示範囲変更手段または前記第二表示範囲変更手段のいずれを作動させるかが決定される、
携帯情報通信端末。
【請求項２】
請求項１に記載の携帯情報通信端末であって、
前記共通部材を回転させた場合には前記第一表示範囲変更手段が作動し、
前記共通部材を前記回転の軸方向に押した場合には前記第二表示範囲変更手段が作動する、
携帯情報通信端末。
【請求項３】
請求項２に記載の携帯情報通信端末であって、
前記共通部材は前記回転の軸方向に厚みをとる円盤状の部材である。
携帯情報通信端末。
【請求項４】
請求項１ないし３のいずれか一項に記載の携帯情報通信端末であって、
前記第一表示範囲変更手段の前記変更速度は、前記第二表示範囲変更手段の前記変更速度の整数倍である、
携帯情報通信端末。
【請求項５】
請求項１ないし３のいずれか一項に記載の携帯情報通信端末であって、
前記第一表示範囲変更手段は、前記情報の一部である見出し部分のみを前記表示手段に表示させる、
携帯情報通信端末。
【請求項６】
請求項１ないし３のいずれか一項に記載の携帯情報通信端末であって、
前記第一表示範囲変更手段は、前記情報の表示範囲に入る情報量を多くして前記表示手段に表示させる、
携帯情報通信端末。
【請求項７】
請求項６に記載の携帯情報通信端末であって、
前記共通部材に対する操作が停止された時に、前記情報の表示範囲に入る情報量を多くする以前の状態に戻す、
携帯情報通信端末。
【請求項８】
請求項１ないし３のいずれか一項に記載の携帯情報通信端末であって、
表示範囲の変更の際に、変更の途中経過をも前記表示手段に表示させる、
携帯情報通信端末。
【請求項９】
情報を表示する表示手段と、第一表示範囲変更処理を行うことを指示する第一表示範囲変更指示手段と、前記第一表示範囲変更指示手段と共通する共通部材を有し第二表示範囲変更処理を行うことを指示する第二表示範囲変更指示手段とを備え、前記共通部材に対する操作により、前記第一表示範囲変更処理または前記第二表示範囲変更処理のいずれが行われるかが決定される携帯情報通信端末における表示範囲変更処理をコンピュータに実行させるためのプログラムであって、前記情報を表示する表示範囲を変更する第一表示範囲変更処理と、
前記表示範囲を、前記第一表示範囲変更手段が前記表示範囲を変更する変更速度よりも遅く変更する第二表示範囲変更処理と、
をコンピュータに実行させるためのプログラム。
【請求項１０】
情報を表示する表示手段と、第一表示範囲変更処理を行うことを指示する第一表示範囲変更指示手段と、前記第一表示範囲変更指示手段と共通する共通部材を有し第二表示範囲変更処理を行うことを指示する第二表示範囲変更指示手段とを備え、前記共通部材に対する操作により、前記第一表示範囲変更処理または前記第二表示範囲変更処理のいずれが行われるかが決定される携帯情報通信端末における表示範囲変更処理をコンピュータに実行させるためのプログラムを記録したコンピュータによって読み取り可能な記録媒体であって、
前記情報を表示する表示範囲を変更する第一表示範囲変更処理と、
前記表示範囲を、前記第一表示範囲変更手段が前記表示範囲を変更する変更速度よりも遅く変更する第二表示範囲変更処理と、
をコンピュータに実行させるためのプログラムを記録したコンピュータによって読み取り可能な記録媒体。
【発明の詳細な説明】
【０００１】
【発明の属する技術分野】
本発明は、携帯電話等の携帯情報通信端末における画面のスクロールに関する。
【０００２】
【従来の技術】
従来より、携帯電話等の携帯情報通信端末において、インターネットを介して得られた情報等を画面に表示させることがが行なわれている。このとき、情報量が多く、表示させたい情報の一部しか画面に表示できないことがある。そこで、いわゆるスクロールを行い、表示させたい情報を全て表示できるようにしている。スクロールとは、例えば、携帯電話のテンキー等を押すことにより、情報の表示範囲を１行づつ上下させることをいう。スクロールにより、携帯電話等のユーザは閲覧したい情報を画面の表示範囲に含むようにして閲覧できる。
【０００３】
【発明が解決しようとする課題】
しかしながら、情報の表示範囲を１行づつ上下させていたのでは、閲覧したい情報を表示範囲に含むようにするために何回も同じ動作（例えば、同じキーを何回も押し続ける）を繰り返さなければならない。情報量が多ければなおさらである。
【０００４】
ここで、情報の表示範囲を１ページづつ上下させれば、スクロールの速度が大きくなり、閲覧したい情報を表示範囲に含むようにするために必要な動作の回数を少なくできる。しかし、情報の表示範囲を１ページづつ上下させれば、情報の表示範囲が大きく変わり過ぎる場合もある。よって、閲覧したい情報が表示範囲の見やすい位置に入らない場合がでてくる。
【０００５】
そこで、本発明は、より少ない動作回数で、閲覧したい情報を携帯電話等の画面の表示範囲に適切に含むようにすることを課題とする。
【０００６】
【課題を解決するための手段】
本発明は携帯情報通信端末に関する。本発明に係る携帯情報通信端末は、表示手段、第一表示範囲変更手段、第二表示範囲変更手段、第一表示範囲変更指示手段、第二表示範囲変更指示手段を備える
表示手段は、情報を表示する。第一表示範囲変更手段は、情報を表示する表示範囲を変更する。第二表示範囲変更手段は、表示範囲を、第一表示範囲変更手段が表示範囲を変更する変更速度よりも遅く変更する。第一表示範囲変更指示手段は、第一表示範囲変更手段を作動させることを指示する。第二表示範囲変更指示手段は、第一表示範囲変更指示手段と共通する共通部材を有し、第二表示範囲変更手段を作動させることを指示する。ここで、共通部材に対する操作により、第一表示範囲変更手段または第二表示範囲変更手段のいずれを作動させるかが決定される。
【０００７】
上記のように構成された発明によれば、第一表示範囲変更手段により高速なスクロールが、第二表示範囲変更手段により低速なスクロールがなされる。第一表示範囲変更指示手段により第一表示範囲変更手段を作動させ、第二表示範囲変更指示手段により第二表示範囲変更手段を作動させることができるので、スクロールの速度を切り替えることができる。よって、適宜にスクロールの速度を切り替えることにより、より少ない動作回数で、閲覧したい情報を表示手段の表示範囲に適切に含むようにできる。
【０００８】
さらに、共通部材に対する操作により、第一表示範囲変更手段または第二表示範囲変更手段のいずれを作動させるかが決定される。このため、スクロールの速度を切り替える際に、これまで操作していた部材とは別の部材を操作しなくてすむので、スクロールの速度の切り替えが容易に行える。
【０００９】
【発明の実施の形態】
以下、本発明の実施の形態を図面を参照して説明する。
【００１０】
図１は、本発明を適用した携帯電話機１の外観の構成例を示す図である。
【００１１】
携帯電話機１のほぼ中央には、ほぼ円盤状の回転入力部１４が設けられている。回転入力部１４は、白抜き矢印で示されるように、ほぼ中央の、紙面に対して垂直な回転軸を中心として、時計方向または反時計方向に回転自在に構成されている。ユーザは、回転入力部１４、回転入力部１４の左右にそれぞれ設けられている通話ボタン１５、電源ボタン１６、および、その下方に設けられているテンキー１７を操作し、各種の指令を入力することができる。
【００１２】
図１に示される携帯電話機１においては、ユーザは、ＬＣＤ（Ｌｉｑｕｉｄ　Ｃｒｙｓｔａｌ　Ｄｉｓｐｌａｙ）などにより構成される表示部１３を見ながら、回転入力部１４を回転させたり、或いは、回転入力部１４の上面（平面）の所定の位置を携帯電話機１の内部方向に押下することで、例えば、インターネットを介してダウンロードした本日のニュース等を表示させたものをスクロールできる。
【００１３】
携帯電話機１の正面の上端近傍、および下端近傍には、スピーカ１２とマイクロフォン１８がそれぞれ設けられており、ユーザは、通話するときこれらを利用する。また、携帯電話機１の上端面には、アンテナ１１が筐体から突出した状態で設けられている。
【００１４】
なお、図１に示される、いわゆるストレート型のものだけでなく、携帯電話機１は、表示部１３が設けられる第１の筐体と、回転入力部１４やテンキー１７が設けられる第２の筐体を、ヒンジを介して折り畳み可能に構成するようにしてもよい。
【００１５】
図２乃至図５は、回転入力部１４の構造の例を示す。
【００１６】
図２に示されるように、回転入力部１４は、基本的に、ベース３１、ホルダ３２、スケール３３、ダイヤル本体３４、操作ダイヤル３５、および中央ボタン部材３６から構成される。
【００１７】
ベース３１は、例えば、絶縁性樹脂からなり、略矩形の板形状のものとして形成される。ベース３１の上面の中央には中央ボタン４１が設けられており、その周辺に、周辺ボタン４２Ａ乃至４２Ｄがそれぞれ等間隔で配設されている。ベース３１は、周辺ボタン４２Ａと周辺ボタン４２Ｃを結ぶ線が、図１の携帯電話機１の上下方向の中心線とほぼ平行になるように配置される。従って、周辺ボタン４２Ａは、図１に示される携帯電話機１の上側に位置し、周辺ボタン４２Ｂは、左側に位置する。また、周辺ボタン４２Ｃは、図１に示される携帯電話機１の下側に位置し、周辺ボタン４２Ｄは、右側に位置する（以下、適宜、周辺ボタン４２Ａを上ボタン４２Ａと、周辺ボタン４２Ｂを左ボタン４２Ｂと、周辺ボタン４２Ｃを下ボタン４２Ｃと、周辺ボタン４２Ｄを右ボタン４２Ｄと、それぞれ称する）。
【００１８】
上動規制部材４３には、ベース３１の中央側に延びる爪が設けられており、その爪により、ホルダ３２の上側への移動が規制される。上動規制部材４３の両側には、やや離間して、回動規制部材４４Ａ、および４４Ｂが設けられており、回動規制部材４４Ａ、および４４Ｂにより、ホルダ３２の回動が規制される。これらの上動規制部材４３、回動規制部材４４Ａ、および４４Ｂにより、ホルダ規制部５１Ａが構成され、同様のもの（ホルダ規制部５１Ｂ，５１Ｃ，５１Ｄ）がベース３１の４隅のうちの他の３隅にそれぞれ配置される。
【００１９】
ホルダ３２は、中央に孔を有する絶縁性ディスクの形状とされ、上面の中央部には、ダイヤル本体３４等を回転自在に保持するダイヤル保持筒６１が、孔の周辺から上面側（図２において上側）に突出した状態で形成されている。従って、ダイヤル保持筒６１の孔の中心の軸が、ダイヤル本体３４等の回転軸となる。
【００２０】
また、ホルダ３２の上面には、導電性を有する弾性材であるブラシ６２Ａ，６２Ｂ、および６２Ｃが配設されており、ブラシ６２Ａ，６２Ｂ、および６２Ｃと、ホルダ３２の上に配置されるスケール３３との電気的な接続の状態の変化を検出することで、回転入力部１４（操作ダイヤル３５）の回転量、および回転方向が検出される。
【００２１】
具体的には、ブラシ６２Ａ、および６２Ｂが配設される径方向の位置は、スケール３３がホルダ３２の上に配置されたとき、スケール３３のスリット７２と接触する位置とされ、回転入力部１４が回転操作され、それに伴ってスケール３３が回転されたとき、ブラシ６２Ａ、および６２Ｂとスケール３３との間では、接触（スリット７２とスリット７２の間の位置）、非接触（スリット７２の位置）が繰り返されることとなる。
【００２２】
一方、ブラシ（アースブラシ）６２Ｃは、スケール３３がホルダ３２の上に配置されたとき、スケール３３と常時接する位置に配設され、スケール３３が回転されたとき、ブラシ６２Ａ、または６２Ｂとの間で、スケール３３を介して導通、または非導通を繰り返すこととなる。
【００２３】
従って、ブラシ６２Ａ、または６２Ｂと、ブラシ６２Ｃの間の導通状態の変化（ブラシ６２Ａ、または６２Ｂとスケール３３の接触、非接触の繰り返し）に対応して発生されるパルスの数に基づいて、回転入力部１４の回転量を算出することができる。
【００２４】
また、ブラシ６２Ａとブラシ６２Ｂを周方向に若干ずらして配設することにより、回転入力部１４の回転方向を検出することができる。すなわち、図１の状態において回転入力部１４が反時計方向に回転された場合、ブラシ６２Ａとスケール３３が接触することにより発生されるパルスの立ち上がり（または立ち下がり）が、ブラシ６２Ｂとスケール３３が接触することにより発生されるパルスの立ち上がり（または立ち下がり）より、ずれている分だけ、早いタイミングで検出されることとなる。
【００２５】
また、反対に、回転入力部１４が時計方向に回転された場合、ブラシ６２Ｂとスケール３３が接触することにより発生されるパルスの立ち上がり（または立ち下がり）が、ブラシ６２Ａとスケール３３が接触することにより発生されるパルスの立ち上がり（または立ち下がり）より、早いタイミングで検出されることとなる。
【００２６】
従って、このように現れる、パルスの立ち上がり（または立ち下がり）のタイミングのずれに基づいて、回転入力部１４の回転方向が検出される。
【００２７】
ホルダ３２の周縁部には、ホルダ規制部５１Ａ乃至５１Ｄに対応して被規制部材６３Ａ乃至６３Ｄが形成されており、ホルダ３２がベース３１上に配置されたとき、この被規制部材６３Ａ乃至６３Ｄの変移（回転および離脱）が、ホルダ規制部５１Ａ乃至５１Ｄによりそれぞれ規制される。
【００２８】
なお、ホルダ３２の裏面の、周辺ボタン４２Ａ乃至４２Ｄに対応する位置には、図３に示されるように、ボタン押下用突起部１０１Ａ乃至１０１Ｄが設けられている。従って、図１に示される携帯電話機１において、回転入力部１４の上側が紙面と垂直な方向に押下されたとき、ボタン押下用突起部１０１Ａにより上ボタン４２Ａ（周辺ボタン４２Ａ）が押下され、回転入力部１４の左側が押下されたとき、ボタン押下用突起部１０１Ｂにより左ボタン４２Ｂ（周辺ボタン４２Ｂ）が押下される。同様に、回転入力部１４の下側が押下されたとき、ボタン押下用突起部１０１Ｃにより下ボタン４２Ｃ（周辺ボタン４２Ｃ）が押下され、回転入力部１４の右側が押下されたとき、ボタン押下用突起部１０１Ｄにより右ボタン４２Ｄ（周辺ボタン４２Ｄ）が押下される。
【００２９】
ダイヤル本体保持部材６４Ａ乃至６４Ｄは、ホルダ３２の周縁部に、それぞれ所定の距離だけ離間し、上面側（図中上側）に突出した状態で形成されている。ダイヤル本体保持部材６４Ａ乃至６４Ｄの上端部には、ホルダ３２の中心側に延びる爪が形成されており、この爪により、ダイヤル本体３４の離脱が制限されるようになされている。
【００３０】
また、ホルダ３２の上面には、クリック感用突起部６５が設けられており、回転入力部１４が回転されたとき、このクリック感用突起部６５と、ダイヤル本体３４のクリック感用凹凸部８３により、ユーザに対するクリック感が発生される。
【００３１】
スケール３３の中央部には、ダイヤル保持筒６１が挿嵌される孔７１が形成され、その周辺部には、上述したように、スケール３３の周縁部近傍に、所定の角度ピッチで放射状に多数のスリット７２が形成されている。スケール３３は、図４に示されるように、ダイヤル本体３４の裏面に固定され、ホルダ３２の上に配置される。
【００３２】
ダイヤル本体３４の中心には、ダイヤル保持筒６１が挿嵌される孔８１が形成され、また、ダイヤル本体３４の上面には、伝動突起部８２が形成されている。伝動突起部８２は、操作ダイヤル３５の裏面に形成される伝動凹部９２に嵌合し、操作ダイヤル３５の回転力をダイヤル本体３４に伝動する。
【００３３】
また、ダイヤル本体３４の裏面の周縁部には、図４に示されるような波状のクリック感用凹凸部８３が、その全周に渡って形成されており、上述したように、その凹部にクリック感用突起部６５が遊嵌される。
【００３４】
操作ダイヤル３５の中央には、中央ボタン部材３６が挿嵌される孔９１が形成され、また、操作ダイヤル３５の裏面には、ダイヤル本体３４の伝動突起部８２が嵌合される伝動凹部９２が形成されている。中央ボタン部材３６は、図２においては円筒状に図示されているが、球形でもよい。なお、操作ダイヤル３５の上面には、回転操作時に適度な摩擦を生じて操作性を良くするため、放射状に延びる多数の溝９３が形成されている。ただし、溝９３は無くてもよい。
【００３５】
以上のような各部材から、図５に示されるような回転入力部１４が構成され、操作ダイヤル３５の上面が露出した状態で携帯電話機１に組み込まれる。
【００３６】
図５に示される回転入力部１４において、ユーザは、操作ダイヤル３５の右上方（図１では、上側）を押下することで、上ボタン４２Ａを押すことができる。また、操作ダイヤル３５の左下方（図１では、下側）を押下することで、下ボタン４２Ｃを押すことができる。
【００３７】
図６は、本発明を適用した携帯電話機１の内部の構成例を示すハードウェアブロック図である。
【００３８】
制御部１１１は、メモリ１１７のＲＯＭ（Ｒｅａｄ　Ｏｎｌｙ　Ｍｅｍｏｒｙ）１１７Ａに格納されている制御プログラムをＲＡＭ（Ｒａｎｄｏｍ　Ａｃｃｅｓｓ　Ｍｅｍｏｒｙ）１１７Ｂに展開し、展開した制御プログラムに従って、携帯電話機１の全体の動作を制御する。
【００３９】
例えば、制御部１１１は、ユーザからの指示に基づいて、スクロール処理プログラムを起動し、表示部１３の表示範囲を変更する。そして、入力検出部１１５の回転検出部１２１により、回転入力部１４に対する入力が検出されたとき（回転入力部１４が回転されたとき）、制御部１１１は、ＤＳＰ（Ｄｉｇｉｔａｌ　Ｓｉｇｎａｌ　Ｐｒｏｃｅｓｓｏｒ）を制御して、回転入力部１４の回転量や回転方向等を算出し、表示部１３の表示範囲を変更する。回転入力部１４に対する入力に応じて、表示部１３の表示範囲を変更する制御部１１１の処理については後に詳述する。
【００４０】
ＲＦ（Ｒａｄｉｏ　Ｆｒｅｑｕｅｎｃｙ）部１１２は、アンテナ１１を介して、基地局との間で電波を送受信し、例えば、音声通話モード時において、アンテナ１１で受信されたＲＦ信号を増幅して周波数変換処理およびアナログディジタル変換処理等の所定の処理を施し、得られた音声データをＤＳＰ１１３に出力する。また、ＲＦ部１１２は、ＤＳＰ１１３から音声データが供給されてきたとき、ディジタルアナログ変換処理、および周波数変換処理等の所定の処理を施し、得られた音声信号をアンテナ１１から送信する。
【００４１】
ＤＳＰ１１３は、ＲＦ部１１２から供給されてきた音声データに対して、例えば、スペクトラム逆拡散処理を施し、得られたデータを音声コーデック１１４に出力する。また、ＤＳＰ１１３は、音声コーデック１１４から供給されてきた音声データに対してスペクトラム拡散処理を施し、得られたデータをＲＦ部１１２に出力する。また、ＤＳＰ１１３は、制御部１１１による制御に基づいて、画像の表示を切り替えるための回転量の算出、回転方向の算出等の処理を行う。
【００４２】
音声コーデック１１４は、マイクロフォン１８により集音されたユーザの音声を音声データに変換し、それをＤＳＰ１１３に出力する。また、音声コーデック１１４は、ＤＳＰ１１３から供給されてきた音声データをアナログ音声信号に変換し、対応する音声信号をスピーカ１２から出力する。
【００４３】
入力検出部１１５の回転検出部１２１には、図２のブラシ６２Ａ，６２Ｂ、および６２Ｃが接続されており、回転検出部１２１は、ブラシ６２Ａ、および６２Ｂとスケール３３との接触、非接触の状態を監視し、接触状態の変化に対応するパルスを制御部１１１に出力する。
【００４４】
入力検出部１１５の押下検出部１２２には、図２の中央ボタン４１、および周辺スイッチ４２Ａ乃至４２Ｄが接続されており、押下検出部１２２は、これらのボタンが押下されたとき（回転入力部１４の上面が内部方向に押下されたとき）、それを検出し、対応する信号を制御部１１１に出力する。
【００４５】
制御部１１１には、必要に応じてドライブ２１０が接続され、磁気ディスク２１１、光ディスク２１２、光磁気ディスク２１３、或いは半導体メモリ２１４などが適宜装着され、それから読み出されたコンピュータプログラム（例えば、第一表示範囲変更部１１１ａ、第二表示範囲変更部１１１ｂを実現するためのプログラム）が、必要に応じて制御部１１１にインストールされる。
【００４６】
入力検出部１１６は、携帯電話機１に設けられている通話ボタン１５、電源ボタン１６、およびテンキー１７等の他のボタンからの入力を検出し、対応する信号を制御部１１１に出力する。
【００４７】
第一の実施形態
図７は、本発明の第一の実施形態にかかる携帯電話機（携帯情報通信端末）１の機能ブロック図である。携帯電話機（携帯情報通信端末）１は、第一表示範囲変更指示部１４ａ、第二表示範囲変更指示部１４ｂ、第一表示範囲変更部１１１ａ、第二表示範囲変更部１１１ｂ、表示部１３、メモリ１１７を備える。
【００４８】
第一表示範囲変更指示部１４ａは、第一表示範囲変更部１１１ａを作動させることを指示する。第一表示範囲変更指示部１４ａは、スケール３３、ダイヤル本体３４、操作ダイヤル３５、ブラシ６２Ａ、６２Ｂ、６２Ｃを有する。第一表示範囲変更指示部１４ａに対する操作を図８（ａ）を参照して説明する。第一表示範囲変更指示部１４ａの操作ダイヤル３５を中央ボタン部材３６を回転軸として回転させる。すなわち、図８（ａ）に示す矢印方向に回転させる。回転量および回転方向は先に説明したように、スケール３３とブラシ６２Ａ、６２Ｂ、６２Ｃとの接触に基づき検出される。回転量および回転方向に基づき、第一表示範囲変更部１１１ａが作動する。
【００４９】
第二表示範囲変更指示部１４ｂは、第二表示範囲変更部１１１ｂを作動させることを指示する。第二表示範囲変更指示部１４ｂは、ホルダ３２、ダイヤル本体３４、操作ダイヤル３５、上ボタン４２Ａ、下ボタン４２Ｃを有する。第二表示範囲変更指示部１４ｂに対する操作を図８（ｂ）を参照して説明する。図８（ｂ）において、第二表示範囲変更指示部１４ｂの操作ダイヤル３５の上方を押し下げる、すなわち操作ダイヤル３５の回転軸方向に押し下げると、上ボタン４２Ａを押すことになる。また、第二表示範囲変更指示部１４ｂの操作ダイヤル３５の下方を押し下げる、すなわち操作ダイヤル３５の回転軸方向に押し下げると、下ボタン４２Ｃを押すことになる。上ボタン４２Ａおよび下ボタン４２Ｃのいずれが押されたかにより、第二表示範囲変更部１１１ｂが作動する。
【００５０】
ここで、第一表示範囲変更指示部１４ａおよび第二表示範囲変更指示部１４ｂは操作ダイヤル３５を共有する。操作ダイヤル３５が両指示部１４ａ、ｂに共通しており、操作ダイヤル３５を共通部材という。上記の説明のように、操作ダイヤル（共通部材）３５を回転させれば第一表示範囲変更指示部１４ａが動作し、第一表示範囲変更部１１１ａが作動する。操作ダイヤル（共通部材）３５を押し下げれば第二表示範囲変更指示部１４ｂが動作し、第二表示範囲変更部１１１ｂが作動する。操作ダイヤル３５は、回転軸方向に薄い厚みを取る、中心部分に孔９１のあいた円盤状の部材である。ここでいう円盤状という概念には、孔があいている物もあいていない物も含まれる。
【００５１】
第二表示範囲変更部１１１ｂは、表示部１３により情報が表示される表示範囲を変更する。表示範囲の変更速度は、第一表示範囲変更部１１１ａの変更速度よりも遅いものとする。第二表示範囲変更部１１１ｂによる表示範囲の変更法を図９を参照して説明する。
【００５２】
図９（ａ）に示すように、複数行にわたる情報１１７ａは、表示部１３の表示範囲１３ａを超えている。よって、表示範囲１３ａには情報１１７ａの一部が表示されている。ここで、上ボタン４２Ａが押されると、図９（ｂ）に示すように、表示範囲１３ａが１行上に移動する。また、下ボタン４２Ｃが押されると、図９（ｃ）に示すように、表示範囲１３ａが１行下に移動する。このように、１行ずつ表示範囲１３ａが移動（スクロール）するため、後述する第一表示範囲変更部１１１ａのスクロールよりも遅くなる。
【００５３】
第一表示範囲変更部１１１ａは、表示部１３により情報が表示される表示範囲を変更する。第一表示範囲変更部１１１ａによる表示範囲の変更法を図１０および図１１を参照して説明する。
【００５４】
図１０（ａ）に示すように、表示範囲１３ａには情報１１７ａの一部が表示されている。ここで、操作ダイヤル３５を反時計方向に所定量（例えば３０度）回転させると、図１０（ｂ）に示すように、表示範囲１３ａが４行上に移動する。また、操作ダイヤル３５を時計方向に所定量（例えば３０度）回転させると、図１０（ｃ）に示すように、表示範囲１３ａが４行下に移動する。このように、４行ずつ表示範囲１３ａが移動（スクロール）するため、第二表示範囲変更部１１１ｂのスクロールよりも４倍速くなる。
【００５５】
また、情報１１７ａには見出しが付されている場合があり、見出しを利用したスクロールも考えられる。見出しを利用した、第一表示範囲変更部１１１ａによるスクロール法を図１１を参照して説明する。なお、見出しの有無は第一表示範囲変更部１１１ａにより判定しておけばよい。
【００５６】
情報１１７ａは、例えばインターネットを介してダウンロードした本日のニュースである。ニュースには、図１１（ａ）に示すように、トピックを示す見出しが付されていることが一般的である。例えば、情報１１７ａにおいて、見出し０、見出し１、見出し２、見出し３、見出し４、…が付されているとする。情報１１７ａは、トピックとその詳細である本文を有する。ここで、操作ダイヤル３５を時計方向または反時計方向に所定量（例えば３０度）回転させると、図１１（ｂ）に示すように、見出しだけを表示する。ここで、操作ダイヤル３５を時計方向に所定量（例えば３０度）回転させると、図１１（ｃ）に示すように、表示範囲１３ａは見出しにおいて１行下に移動し、表示範囲１３ａには見出し２、見出し３、見出し４が含まれるようになる。また、操作ダイヤル３５を反時計方向に所定量（例えば３０度）回転させると、図１１（ｄ）に示すように、表示範囲１３ａは見出しにおいて１行上に移動し、表示範囲１３ａには見出し０、見出し１、見出し２が含まれるようになる。このように、一つの見出し行ごとに表示範囲１３ａが移動（スクロール）するため、第二表示範囲変更部１１１ｂのスクロールよりも速くなる。
【００５７】
表示部１３は、メモリ１１７に記録された情報１１７ａを表示する。なお、表示部１３においては、表示範囲１３ａが移動（スクロール）する際に、表示範囲１３ａの移動の途中経過を表示するようにすることが好ましい。例えば、０．３行、０．５行、０．７行表示範囲が移動した場合の情報１１７ａを表示する。メモリ１１７は、情報１１７ａを記録する。
【００５８】
次に、第一の発明の実施形態の動作を図１２のフローチャートを参照して説明する。
【００５９】
まず、入力検出部１１５が回転入力部１４に入力があるか否かを判定する（Ｓ１０）。回転入力部１４に入力があれば（Ｓ１０、Ｙｅｓ）、回転検出部１２１および押下検出部１２２により、入力が操作ダイヤル３５の回転か、押下かが判定される（Ｓ２０）。
【００６０】
回転入力部１４への入力が、操作ダイヤル３５の押下であれば（Ｓ２０、押下）、第二表示範囲変更指示部１４ｂが作動する。ここで、上ボタン４２Ａを押しているならば（Ｓ２２、上）、第二表示範囲変更指示部１４ｂは、第二表示範囲変更部１１１ｂを作動させることを指示する。第二表示範囲変更部１１１ｂは、表示範囲１３ａを１行上に移動させる（Ｓ２４ａ）。また、下ボタン４２Ｃを押しているならば（Ｓ２２、下）、第二表示範囲変更指示部１４ｂは、第二表示範囲変更部１１１ｂを作動させることを指示する。第二表示範囲変更部１１１ｂは、表示範囲１３ａを１行下に移動させる（Ｓ２４ｂ）。そして、表示範囲１３ａを１行上（下）に移動させた（Ｓ２４ａ、ｂ）後は、回転入力部１４への入力有無の判定（Ｓ１０）に戻る。
【００６１】
回転入力部１４への入力が、操作ダイヤル３５の回転であれば（Ｓ２０、回転）、第一表示範囲変更指示部１４ａが作動する。第一表示範囲変更指示部１４ａは、第一表示範囲変更部１１１ａを作動させることを指示する。第一表示範囲変更部１１１ａは、メモリ１１７に記録された情報１１７ａに見出しが付されているか否かを判定する（Ｓ３０）。
【００６２】
情報１１７ａに見出しが付されてなければ（Ｓ３０、Ｎｏ）、第一表示範囲変更部１１１ａは図１０を参照して説明したようなスクロールを行なう。すなわち、操作ダイヤル３５が反時計方向に所定量（例えば３０度）回転すると（Ｓ３２、ＣＣＷ）、第一表示範囲変更部１１１ａは表示範囲１３ａを４行上に移動させる（Ｓ３４ａ）。操作ダイヤル３５が時計方向に所定量（例えば３０度）回転すると（Ｓ３２、ＣＷ）、第一表示範囲変更部１１１ａは表示範囲１３ａを４行下に移動させる（Ｓ３４ｂ）。そして、表示範囲１３ａを４行上（下）に移動させた（Ｓ３４ａ、ｂ）後は、回転入力部１４への入力有無の判定（Ｓ１０）に戻る。
【００６３】
情報１１７ａに見出しが付されていれば（Ｓ３０、Ｙｅｓ）、第一表示範囲変更部１１１ａは図１１を参照して説明したようなスクロールを行なう。すなわち、操作ダイヤル３５が反時計方向に所定量（例えば３０度）回転すると（Ｓ４２、ＣＣＷ）、第一表示範囲変更部１１１ａは表示範囲１３ａを見出しにおいて１行上に移動させる（Ｓ４４ａ）。操作ダイヤル３５が時計方向に所定量（例えば３０度）回転すると（Ｓ４２、ＣＷ）、第一表示範囲変更部１１１ａは表示範囲１３ａを見出しにおいて１行下に移動させる（Ｓ４４ｂ）。そして、表示範囲１３ａを見出しにおいて１行上（下）に移動させた（Ｓ４４ａ、ｂ）後は、回転入力部１４への入力有無の判定（Ｓ１０）に戻る。
【００６４】
なお、回転入力部１４への入力が無い場合は（Ｓ１０、Ｎｏ）、スクロールの処理を終了する。
【００６５】
第一の実施形態によれば、第一表示範囲変更部１１１ａにより高速なスクロールが、第二表示範囲変更部１１１ｂにより低速なスクロールがなされる。第一表示範囲変更指示部１４ａにより第一表示範囲変更部１１１ａを作動させ、第二表示範囲変更指示部１４ｂにより第二表示範囲変更部１１１ｂを作動させることができるので、スクロールの速度を切り替えることができる。よって、適宜にスクロールの速度を切り替えることにより、より少ない動作回数で、閲覧したい情報を表示部１３の表示範囲１３ａに適切に含むようにできる。例えば、閲覧したい情報が表示範囲１３ａから遠い場合は高速スクロールを行い、近い場合は低速スクロールを行う。
【００６６】
さらに、共通部材である操作ダイヤル３５に対する操作により、第一表示範囲変更指示部１４ａまたは第二表示範囲変更指示部１４ｂのいずれを作動させるかが決定される。具体的には、操作ダイヤル３５を回転させれば第一表示範囲変更指示部１４ａが、押せば第二表示範囲変更指示部１４ｂが作動する。このため、スクロールの速度を切り替える際に、これまで操作していた部材とは別の部材を操作しなくてすむので、スクロールの速度の切り替えが容易に行える。
【００６７】
しかも、情報１１７ａの見出しの有無により、高速スクロールの方法を切り替えることができるので、見出し付きの情報１１７ａを高速スクロールする際には便利である。
【００６８】
第二の実施形態
第二の実施形態は、第一表示範囲変更部１１１ａによる高速スクロールの方法が、第一の実施形態とは異なる。
【００６９】
本発明の第二の実施形態にかかる携帯電話機（携帯情報通信端末）１は、第一表示範囲変更指示部１４ａ、第二表示範囲変更指示部１４ｂ、第一表示範囲変更部１１１ａ、第二表示範囲変更部１１１ｂ、表示部１３、メモリ１１７を備える。構成は図７と同様である。以下、第一の実施形態と同様な部分は同一の番号を付して説明を省略する。
【００７０】
第一表示範囲変更指示部１４ａ、第二表示範囲変更指示部１４ｂ、第二表示範囲変更部１１１ｂ、表示部１３、メモリ１１７は第一の実施形態と同様である。
【００７１】
第一表示範囲変更部１１１ａは、表示部１３により情報が表示される表示範囲を変更する。第一表示範囲変更部１１１ａによる表示範囲の変更法を図１３を参照して説明する。
【００７２】
図１３（ａ）に示すように、表示範囲１３ａには情報１１７ａの一部が表示されている。ここで、操作ダイヤル３５を時計方向または反時計方向に所定量（例えば３０度）回転させると、図１３（ｂ）に示すように、表示範囲１３ａに入る情報量を多くしようとする。例えば、表示範囲１３ａには４行分の情報しか表示しなかったものを、８行分の情報を表示するようにする。ここで、表示部１３の大きさの制約から、表示範囲１３ａが２倍大きくできるわけでもなく、表示範囲１３ａの大きさはそのままである。そこで、表示範囲１３ａに入る情報量を多くした分だけ、情報を表す文字等の大きさを縮小する。すなわち、実際には図１３（ｃ）に示すようにズームアウトする。
【００７３】
ここで、操作ダイヤル３５を時計方向に所定量（例えば３０度）回転させると、表示範囲１３ａは例えば５〜１５行程度下に、反時計方向に所定量（例えば３０度）回転させると、表示範囲１３ａは例えば５〜１５行程度上に移動する。すなわち、ズームアウトした分だけスクロールを速くする。
【００７４】
なお、第一表示範囲変更指示部１４ａによる指示により第一表示範囲変更部１１１ａが作動した後に、第一表示範囲変更指示部１４ａによる指示が無くなった場合（操作ダイヤル３５の回転を止めた場合）は、ズームインして高速スクロールを行う以前の状態に表示態様を戻す。例えば、図１３（ａ）に示すような状態から高速スクロールを開始すれば、図１３（ｃ）に示すような状態になる（ズームアウト）。ここで、操作ダイヤル３５の回転を止めた場合は、図１３（ａ）に示すような状態に戻す（ズームイン）。
【００７５】
次に、第二の発明の実施形態の動作を図１４のフローチャートを参照して説明する。
【００７６】
まず、入力検出部１１５が回転入力部１４に入力があるか否かを判定する（Ｓ１０）。回転入力部１４に入力があれば（Ｓ１０、Ｙｅｓ）、回転検出部１２１および押下検出部１２２により、入力が操作ダイヤル３５の回転か、押下かが判定される（Ｓ２０）。
【００７７】
回転入力部１４への入力が、操作ダイヤル３５の押下であれば（Ｓ２０、押下）、第二表示範囲変更指示部１４ｂが作動する。ここで、上ボタン４２Ａを押しているならば（Ｓ２２、上）、第二表示範囲変更指示部１４ｂは、第二表示範囲変更部１１１ｂを作動させることを指示する。第二表示範囲変更部１１１ｂは、表示範囲１３ａを１行上に移動させる（Ｓ２４ａ）。また、下ボタン４２Ｃを押しているならば（Ｓ２２、下）、第二表示範囲変更指示部１４ｂは、第二表示範囲変更部１１１ｂを作動させることを指示する。第二表示範囲変更部１１１ｂは、表示範囲１３ａを１行下に移動させる（Ｓ２４ｂ）。そして、表示範囲１３ａを１行上（下）に移動させた（Ｓ２４ａ、ｂ）後は、回転入力部１４への入力有無の判定（Ｓ１０）に戻る。
【００７８】
回転入力部１４への入力が、操作ダイヤル３５の回転であれば（Ｓ２０、回転）、第一表示範囲変更指示部１４ａが作動する。第一表示範囲変更指示部１４ａは、第一表示範囲変更部１１１ａを作動させることを指示する。第一表示範囲変更部１１１ａは、表示範囲１３ａに入る情報量を多くし、その分だけ、情報１１７ａを表す文字等の大きさを縮小する（Ｓ５０）。操作ダイヤル３５が反時計方向に所定量（例えば３０度）回転すると（Ｓ５２、ＣＣＷ）、第一表示範囲変更部１１１ａは表示範囲１３ａを５〜１５行程度上に移動させる（Ｓ５４ａ）。操作ダイヤル３５が時計方向に所定量（例えば３０度）回転すると（Ｓ５２、ＣＷ）、第一表示範囲変更部１１１ａは表示範囲１３ａを５〜１５行程度下に移動させる（Ｓ５４ｂ）。そして、表示範囲１３ａを５〜１５行程度上（下）に移動させた（Ｓ３４ａ、ｂ）後は、回転検出部１２１が、回転入力部１４への回転入力の有無を判定する（Ｓ５６）。回転入力が有れば（Ｓ５６、Ｙｅｓ）、操作ダイヤル３５の回転方向（時計または反時計）の判定（Ｓ５２）に戻る。回転入力が無ければ（Ｓ５６、Ｎｏ）、ズームインして高速スクロールを行う以前の状態に表示態様を戻す（Ｓ５８）。そして、回転入力部１４への入力有無の判定（Ｓ１０）に戻る。
【００７９】
なお、回転入力部１４への入力が無い場合は（Ｓ１０、Ｎｏ）、スクロールの処理を終了する。
【００８０】
第二の実施形態によれば、第一の実施形態と同様な効果を奏する。なお、情報１１７ａの見出しは利用しないが、ズームアウトを用いて高速スクロールを行う。しかも、高速スクロールを終えた後はズームインして表示態様を元に戻すので、高速スクロール終了後は情報を見やすくできる。
【００８１】
また、上記の実施形態は、以下のようにして実現できる。ＣＰＵ、ハードディスク、フラッシュメモリ、メディア（フロッピーディスク、ＣＤ−ＲＯＭ、メモリスティックなど）読み取り装置を備えたコンピュータのメディア読み取り装置に、上記の各部分（例えば、第一表示範囲変更部１１１ａ、第二表示範囲変更部１１１ｂ）を実現するプログラムを記録したメディアを読み取らせて、ハードディスク、フラッシュメモリなどにインストールする。このような方法でも、上記の機能を実現できる。
【００８２】
【発明の効果】
本発明によれば、第一表示範囲変更手段により高速なスクロールが、第二表示範囲変更手段により低速なスクロールがなされる。第一表示範囲変更指示手段により第一表示範囲変更手段を作動させ、第二表示範囲変更指示手段により第二表示範囲変更手段を作動させることができるので、スクロールの速度を切り替えることができる。よって、適宜にスクロールの速度を切り替えることにより、より少ない動作回数で、閲覧したい情報を表示手段の表示範囲に適切に含むようにできる。
【００８３】
さらに、共通部材に対する操作により、第一表示範囲変更手段または第二表示範囲変更手段のいずれを作動させるかが決定される。このため、スクロールの速度を切り替える際に、これまで操作していた部材とは別の部材を操作しなくてすむので、スクロールの速度の切り替えが容易に行える。
【図面の簡単な説明】
【図１】本発明を適用した携帯電話機１の外観の構成例を示す図である。
【図２】回転入力部１４の分解斜視図である。
【図３】ホルダ３２の裏面を示す斜視図である。
【図４】スケール３３がダイヤル本体３４に固定された状態を示す斜視図である。
【図５】回転入力部１４の斜視図である。
【図６】本発明を適用した携帯電話機１の内部の構成例を示すハードウェアブロック図である。
【図７】本発明の第一の実施形態にかかる携帯電話機（携帯情報通信端末）１の機能ブロック図である。
【図８】第一表示範囲変更指示部１４ａに対する操作（図８（ａ））および第二表示範囲変更指示部１４ｂに対する操作（図８（ｂ））を示す図である。
【図９】第二表示範囲変更部１１１ｂによる表示範囲の変更法を示す図であり、元の表示範囲１３ａ（図９（ａ））、上ボタン４２Ａが押されたときの表示範囲１３ａ（図９（ｂ））、下ボタン４２Ｃが押されたときの表示範囲１３ａ（図９（ｃ））を示す。
【図１０】第一表示範囲変更部１１１ａによる表示範囲の変更法を示す図であり、元の表示範囲１３ａ（図１０（ａ））、操作ダイヤル３５を反時計方向に回転したときの表示範囲１３ａ（図１０（ｂ））、操作ダイヤル３５を時計方向に回転したときの表示範囲１３ａ（図１０（ｃ））を示す。
【図１１】第一表示範囲変更部１１１ａによる表示範囲の変更法を示す図であり、元の表示範囲１３ａ（図１１（ａ））、見出しだけ表示された表示範囲１３ａ（図１１（ｂ））、操作ダイヤル３５を時計方向に回転したときの表示範囲１３ａ（図１１（ｃ））、操作ダイヤル３５を反時計方向に回転したときの表示範囲１３ａ（図１１（ｄ））を示す。
【図１２】第一の発明の実施形態の動作を示すフローチャートである。
【図１３】第二の実施形態における第一表示範囲変更部１１１ａによる表示範囲の変更法を示す図であり、元の表示範囲１３ａ（図１３（ａ））、表示範囲１３ａに入る情報量を多くしようしたときの仮想的な表示範囲１３ａ（図１３（ｂ））、表示範囲１３ａに入る情報量を多くしようしたときの実際の表示範囲１３ａ（図１３（ｃ））を示す。
【図１４】第二の発明の実施形態の動作を示すフローチャートである。
【符号の説明】
１３　表示部
１４ａ　第一表示範囲変更指示部
１４ｂ　第二表示範囲変更指示部
３５　操作ダイヤル（共通部材）
１１１ａ　第一表示範囲変更部
１１１ｂ　第二表示範囲変更部
１１７　メモリ
【図１】
2004040352.tif 000003
【図２】
2004040352.tif 000004
【図３】
2004040352.tif 000005
【図４】
2004040352.tif 000006
【図５】
2004040352.tif 000007
【図６】
2004040352.tif 000008
【図７】
2004040352.tif 000009
【図８】
2004040352.tif 000010
【図９】
2004040352.tif 000011
【図１０】
2004040352.tif 000012
【図１１】
2004040352.tif 000013
【図１２】
2004040352.tif 000014
【図１３】
2004040352.tif 000015
【図１４】
2004040352.tif 000016